(57)【要約】【課題】  本発明は、電気コネクタを提供する。【解決手段】  電気コネクタは、コネクタハウジングと、端子トレーとを有してもよい。端子トレーは、ラッチが延びているトレーボディを有してもよい。コネクタハウジングは、ラッチ受入れ窓を有してもよい。ラッチおよびラッチ受入れ窓は、端子トレーが好適な向きでハウジングに受入れられるときにのみ、ラッチがラッチ受入れ窓に係合するように配置されてもよい。端子トレーは、導電性の接触子を有してもよく、この導電性の接触子は、印刷回路ボードを受入れ、そして印刷回路ボードを接触子とトレーボディとの間に保持するのに十分な圧力を印刷回路ボードに及ぼすようになっているボード受入れ端部を有している。また、コネクタは、夫々の一部が互いに対して移動しないように拘束されるように、両面テープのようなバンドにより拘束された複数のケーブルを有してもよい。【選択図】      図１
2008510273.tif 000002
【特許請求の範囲】
【請求項１】
電気絶縁材料で形成されたトレーボディと、
このトレーボディの端部を超えて延びているコネクタ結合端部、およびこのコネクタ結合端部と反対側のボード受入れ端部を有している導電性の接触子と、を具備しており、
前記接触子のボード受入れ端部は、印刷回路ボードを受入れ、そして印刷回路ボードを接触子とトレーボディとの間に保持するのに十分な圧力を印刷回路ボードに及ぼすようになっている、電気コネクタ用の端子トレー。
【請求項２】
前記接触子は、少なくとも部分的に前記トレーボディを通って延びている、請求項１に記載の電気コネクタ。
【請求項３】
前記トレーボディは、接触子上にモールド成形されている、請求項１に記載の電気コネクタ。
【請求項４】
前記トレーボディは、印刷回路ボードが接触子とトレーボディとの間で摺動されている間、接触子が移動するのを防ぐトレーバーを有している、請求項１に記載の電気コネクタ。
【請求項５】
前記トレーボディは、トレーボディから延びている圧嵌めピンを有しており、この圧嵌めピンは、印刷回路ボードの相補形の穴を通って延びるようになっている、請求項１に記載の電気コネクタ。
【請求項６】
前記トレーボディは、トレーボディから延びているラッチを有しており、このラッチは、前記端子トレーを内部に受入れるようになっているコネクタヘッダーの相補形の窓に係合するようになっている、請求項１に記載の電気コネクタ。
【請求項７】
前記端子トレーは、端子トレーから延びている位置決めキーを有しており、この位置決めキーは、印刷回路ボードの相補形のスロットと整合するようになっている、請求項１に記載の電気コネクタ。
【請求項８】
前記端子トレーは、端子トレーから延びているリブを有しており、このリブは、印刷回路ボードが接触子とトレーボディとの間で摺動され得る方向に移動しないように印刷回路ボードを止めるようになっている、請求項１に記載の電気コネクタ。
【請求項９】
前記接触子は、弾性を有して、ばね力を印刷回路ボードに及ぼすようになっている、請求項１に記載の電気コネクタ。
【請求項１０】
前記接触子のボード受入れ端部は、ほぼ湾曲されている、請求項１に記載の電気コネクタ。
【請求項１１】
内部と、ラッチ受入れ窓とを規定するハウジングを有しているコネクタヘッダーと、
このコネクタヘッダーの内部に受入れられている端子トレーと、を具備しており、この端子トレーは、電気的絶縁材料で形成されたトレーボディと、このトレーボディを超えて延びているコネクタ結合端部を有する導電性接触子とを備えており、前記トレーボディは、トレーボディから延びているラッチを有しており、
前記ラッチとラッチ受入れ窓とは、端子トレーが好適な向きで前記ハウジングに受入れられるときにのみ、前記ラッチが前記ラッチ受入れ窓に係合するように配置されている、電気コネクタ。
【請求項１２】
前記ラッチは、前記トレーボディの面から延びており、この面は、第１の端部および第２の端部を有しており、前記ラッチは、前記面の端部間に中心を外れて配置されている、請求項１１に記載の電気コネクタ。
【請求項１３】
前記トレーボディから延びている第２のラッチを更に具備しており、また、前記コネクタヘッダーハウジングは、更に、第２のラッチ受入れ窓を規定しており、前記第２のラッチおよび前記第２のラッチ受入れ窓は、端子トレーが好適な向きで前記ハウジングに受入れられるときにのみ、前記第２のラッチが前記第２のラッチ受入れ窓に係合するように配置されている、請求項１２に記載の電気コネクタ。
【請求項１４】
前記第２のラッチは、前記トレーボディの第２の面から延びており、この第２の面は、第１の端部および第２の端部を有しており、前記第２のラッチは、前記第１の端部と前記第２の端部との間に心出しされている、請求項１３に記載の電気コネクタ。
【請求項１５】
前記ハウジングの内部に配置されている第２の端子トレーを具備しており、この第２の端子トレーは、これのボディから延びている第２のラッチを有しており、この第２のラッチは、前記ハウジングにより規定された第２の受入れ窓に係合している、請求項１１に記載の電気コネクタ。
【請求項１６】
前記第２の端子トレーは、前記第１の端子トレーに隣接して配置されており、前記ラッチおよび受入れ窓は、前記第２の端子トレーが前記第１の向きと異なる第２の向きでのみ前記ハウジングの内部に受入れられ得るように配置されている、請求項１５に記載の電気コネクタ。
【請求項１７】
前記ハウジングは、これの内壁部に沿って前記ラッチ受入れ窓から延びているトレー受入れ溝を有している、請求項１１に記載の電気コネクタ。
【請求項１８】
第１のケーブルハウジングを通って延びている第１のケーブルワイヤを備えている第１のケーブルと、
第２のケーブルハウジングを通って延びている第２のケーブルワイヤを備えている第２のケーブルと、
歪除去を行うために前記第１のケーブルの第１の側面と前記第２のケーブルの第１の側面との間に取着された両面テープと、
を具備している電気コネクタ。
【請求項１９】
前記両面テープは、前記第１のケーブルハウジングのまわりに巻きついている、請求項１８に記載の電気コネクタ。
【請求項２０】
前記両面テープは、前記第２のケーブルハウジングのまわりに巻きついている、請求項１９に記載の電気コネクタ。
【請求項２１】
前記両面テープは、更に、組合せ状態の第１および第２のケーブルのまわりに巻きついている、請求項２０に記載の電気コネクタ。
【請求項２２】
前記ケーブルの各々は、リボンケーブルである、請求項１８に記載の電気コネクタ。
【請求項２３】
前記ケーブルの各々は、丸いケーブルである、請求項１８に記載の電気コネクタ。
【請求項２４】
第１のケーブルハウジングを通って延びている第１のケーブルワイヤを備えている第１のケーブルと、
第２のケーブルハウジングを通って延びている第２のケーブルワイヤを備えている第２のケーブルと、を具備しており、
前記両ケーブルは、それらの夫々の一部が互いに大して移動しないように拘束されるようにバンドによりバンドルねられている、電気コネクタ。
【請求項２５】
前記バンドは、個々に各ケーブルのまわりに、および組合せ状態の両ケーブルのまわりに巻きつけられ両面テープを備えている、請求項２４に記載の電気コネクタ。
【請求項２６】
内部リングを有するスリーブを更に具備しており、前記スリーブは、前記内部リングがバンドを圧縮するようにバンドを取囲んでいる、請求項２４に記載の電気コネクタ。
【請求項２７】
前記スリーブは、コネクタ内の前記スリーブの相対移動を防ぐ外部リブを備えている、請求項２６に記載の電気コネクタ。
【請求項２８】
組合せ状態のケーブルは、少なくとも部分的に電気接地部より取囲まれている、請求項２４に記載の電気コネクタ。
【請求項２９】
前記電気接地部は、コネクタを取囲んでいるコネクタボディに電気的に接続されている、請求項２８に記載の電気コネクタ。
【請求項３０】
第１の基質に取付けられた２つ以上の電気接触子を具備しており、これら２つ以上の電気接触子は、各々、縁部およびより長い側部を規定しており、前記２以上の電気接触子は、縁部と縁部とを付けて位置決めされている、電気ケーブルコネクタ。
【請求項３１】
前記２以上の電気接触子の縁部間の隙間が、約０.２ないし０.７ｍｍである、請求項３０記載の電気ケーブルコネクタ。
【請求項３２】
前記２以上の電気接触子のうちの２つの隣接した接触子は、信号を２ないし１０Ｇｂ／秒またはそれ以上のデータ速度で伝送する、請求項３０記載の電気ケーブルコネクタ。
【請求項３３】
２以上の電気接触子を備えている第２の基質を更に具備しており、第１の基質および第２の基質は、これらの間にシールドを設けずに並んで位置決めされている、請求項３０記載の電気ケーブルコネクタ。
【請求項３４】
前記両基質の電気接触子は、基質ごとにずれている差信号対を規定している、請求項３３に記載の電気ケーブルコネクタ。
【発明の詳細な説明】
【技術分野】
【０００１】
一般に、本発明は、電気コネクタの分野に関する。より詳細には、本発明は、例えばコンピュータと、プリンタ、スキャナーなどのような外部装置との間でインピーダンス制御式の高速で低干渉の通信をもたらす入力／出力（「Ｉ／Ｏ」）コネクタに関する。
【背景技術】
【０００２】
コンピュータをプリンタ、スキャナーなどのような外部部品と電気的に接続するのに、入力／出力（「Ｉ／Ｏ」）ケーブルコネクタが使用され得る。
【０００３】
幾つかのこのようなコネクタは、電気接触子の夫々の線形配列を有する１つまたはそれ以上の端子トレーを有している。電気接触子は、信号接触子、接地用接触子、または信号接触子と接地用接触子との組合せであってもよい。代表的には、２次元接触子配列が形成されるように、複数のこのような端子トレーが互いに対して配置されている。このような構成では、端子トレーのうちの幾つかを或る方法で配向することが望ましいことがある。１つまたはそれ以上のトレーを所望の方法で配向しないと、欠陥のあるコネクタが製造されることになる。従って、端子トレーを有するコネクタを望まれない配向で組立てる可能性を最小にするか或は無くす端子トレーが利用可能であれば、望ましい。
【０００４】
幾つかのこのようなコネクタは、例えば、イコライザーカードのような印刷回路ボード（ＰＣＢ）を有している。代表的には、各電気接触子は、ＰＣＢ上の対応する接触パッドにはんだ付けされる。このようなはんだ付けは、労力率が高く、高価であることがある。従って、ＰＣＢを接触子にはんだ付けする必要ないしにＰＣＢをコネクタ内に保持することができるようなコネクタが利用可能であれば、望ましい。
【０００５】
幾つかのこのようなコネクタは、１つまたはそれ以上のケーブルに対するインターフェースを有している。このようなケーブルは、代表的には、ポリマー被膜に封入された電気導体を有している。複数のこのようなケーブルを一緒にバンドルねること、およびこれらのケーブルをそれらに対する応力を制限する方法で一緒にバンドルねることがしばしば望ましい。
【発明の開示】
【課題を解決するための手段】
【０００６】
本発明は、第１の基質に取付けられた２以上の電気基質を有する電気ケーブルコネクタを包含しており、２つ以上の電気基質は、各々、縁部および側部を規定しており、２つ以上の電気基質は、縁部連結を生じるように縁部と縁部とを付けて位置決めされている。２つ以上の電気接触子の縁部間の隙間が、約０.２ないし０.７ｍｍである。２つ以上の電気接触子のうちの２つの隣接した接触子は、信号を２ないし１０Ｇｂ／秒またはそれ以上のデータ速度で伝送する。２つ以上の電気接触子を備えている第２の基質が、これと第１の基質との間にシールドを設けずに第１の基質に隣接して位置決めされてもよい。両基質上の電気接触子は、基質ごとにずれている差信号対を規定している。
【０００７】
また、本発明による電気コネクタは、ハウジングと、このハウジングにより規定されるコネクタの内部分内に受入れられている端子トレーとを有してもよい。端子トレーは、電気的絶縁材料で形成されたトレーボディを有してもよい。トレーボディは、それから延びているラッチを有しており、コネクタハウジングは、ラッチ受入れ窓を規定してもよい。ラッチおよびラッチ受入れ窓は、端子トレーが好適な向きでハウジングに受入れられるときにのみ、ラッチがラッチ受入れ窓に係合するように配置されてもよい。
【０００８】
端子トレーは、トレーボディの端部を超えて延びているコネクタ結合端部と、このコネクタ結合端部と反対側のボード受入れ端部とを有している導電性の接触子を有してもよい。
【０００９】
接触子のボード受入れ端部は、印刷回路ボードを受入れ、そして印刷回路ボードを接触子とトレーボディとの間に保持するのに十分な圧力を印刷回路ボードに及ぼすようになっていてもよい。
【００１０】
また、コネクタは、夫々のケーブルハウジングを通って延びている第１および第２のケーブルを有してもよい。これらのケーブルは、それらの夫々の一部が互いに対して移動しないように拘束されるようにバンドによりバンドルねられてもよい。バンドは、両面テープを有してもよく、このテープは、第１ケーブルの第１の側面と第２のケーブルの第１の側面との間に取着されてもよいし、ケーブルハウジングのまわりに巻きついてもよい。
【発明を実施するための最良の形態】
【００１１】
図１は、本発明によるコネクタ１００の例示的な実施の形態を示している。このコネクタ１００によれば、コンピュータまたは他の装置を例えばプリンタまたはスキャナーのような外部部品１０００と通信することができる。コネクタ１００は、レセプタクル５１０に接続されてもよい。レセプタクル５１０は、例えばコンピュータのフェースプレート５００に設けられてもよく、そしてコンピュータの内部のドーターカード５２０に電気的に接続されてもよい。ドーターカード５２０は、高速コネクタ５４０によりコンピュータの内部のマザーボード５３０に接続されてもよい。高速コネクタ５４０は、高い信号保全性でほぼ２ないし１０Ｇｂ／秒またはそれ以上の速度での信号の伝播を容易にし得る。このような高速コネクタの例が、例えば、「高速電気コネクタ用の漏話減少およびインピーダンス整合」と称される米国特許出願第１０／２９４，９６６号（その開示はその全体において参照によりここに組み入れられる）に開示され、請求されている。
【００１２】
コネクタ１００は、コネクタボディ８５０を有してもよい。コネクタボディ８５０は、同じである２つの半体で鋳造されるか或は形成されてもよく、２つの半体は、１つまたはそれ以上の組付けねじ８６６を介して互いに連結されてもよい。コネクタボディ８５０は、マウントねじホルダ８５５と、フェースプレート５００のねじポスト８６５と整合されている整合ねじ８６０とを有してもよい。整合ねじ８６０は、コネクタ１００をレセプタクル５１０に接続する前に、ねじポスト８６５と適切に整合されるようにコネクタ１００も端部を超えて突出してもよい。このようにして、接続工程中、コネクタ１００内の接触子（図１に図示されていない）が損傷されることがない。
【００１３】
また、レセプタクル５１０は、電気接地部と関連された接地用バンド５１５を有してもよく、コネクタ１００がレセプタクル５１０に接続されると、コネクタボディ８５０が接地用バンド５１５と電気的に接続するようになっていてもよい。レセプタクル５１０は、接続工程中、コネクタ１００の整合を容易にするために整合用成形部５１６を有してもよい。
【００１４】
また、コネクタ１００は、ケーブルバンドル９００を覆って保護するブート８００を有してもよい。ケーブルバンドル９００は、外部部品１０００に接続し得る。
【００１５】
図２Ａは、フェースプレート５００の具体例の横断面正面図を示しており、図２Ｂは、この具体例の側面図を示している。フェースプレート５００は、コンピュータのような装置へのコネクタ１００の物理的および電気的接続を容易にし得る。フェースプレート５００は、図１と関連して述べられたレセプタクル５１０のようなレセプタクルを取付けるための適切なサイズのカットアウト５２０を有してもよい。また、フェースプレート５００は、コネクタ１００の取付けねじ８６０を受入れるために１つまたはそれ以上のねじポスト８６５を有してもよい。フェースプレート５００は、プラスチックまたは他の適当な材料で構成されてもよい。
【００１６】
図３は、本発明によるコネクタ１００の例として実施の形態の部分破断図を示している。明確のために、コネクタ１００は、図３にコネクタボディの一方の半体８５０ａのみと共に示されている。コネクタ１００は、１つまたはそれ以上の電気接触子２５０を有してもよい。接触子２５０は、端子トレー２００の一部として成形されてもよいし、或は端子トレー２００に取付けられてもよい。また、印刷回路ボード（ＰＣＢ）３００が端子トレー２００に取付けられてもよい。接触子２５０は、ＰＣＢ３００に電気的に接続されてもよい。また、ケーブルワイヤ９２０が、ＰＣＢ３００に電気的に接続されてもよい。このようにして、ＰＣＢ３００は、接触子２５０をケーブルワイヤ９２０に電気的に接続し得る。別の実施の形態では、夫々の接触子２５０およびケーブルワイヤ９２０は、ＰＣＢ３００なしで電気的に直接接続されてもよい。
【００１７】
端子トレー２００は、コネクタハウジング４００の内部に少なくとも部分的に収容されてもよい。端子トレー２００は、分極化ラッチ窓４１０の使用によりコネクタヘッダー４００に取着されてもよい。コネクタボディ８５０は、コネクタ１００をレセプタクル５１０に取付けるためのマウントねじ８６０を有してもよい。
【００１８】
また、コネクタ１００は、ケーブル９１０内に位置決めされたケーブルワイヤ９２０を有してもよい。ケーブル９１０は、部分的にクリンプスリーブ７５０およびクリンプスリーブ支持体７００によりケーブルバンドル９００に保持されてもよい。ブレード６００が、接地部９１０のブレードシールド（図３に図示せず）をクリンプスリーブ７５０に電気的に接続してもよい。クリンプスリーブ７５０は、コネクタボディ８５０の外側に位置決めされたケーブルバンドル９００が移動されるとき、ケーブルバンドル９００を保持したり、コネクタボディ８５０内でケーブルが移動するのを防いだりするのを助けために、クリンプスリーブ支持体７００に設置後に変形されてもよい。また、クリンプスリーブ７５０は、コネクタボディ８５０の２つの半体８５０ａがコネクタ１００に取付けられるときにコネクタボディ８５０と電気的に接続する接地用接触子７５５を有してもよい。コネクタボディ８５０の２つの半体８５０ａは、同じであってもよく、組付けねじ８６６の使用により接続されてもよい。また、コネクタ１００は、クリンプスリーブ支持体７００に取着してコネクタボディ８５０の近傍でケーブルバンドル９００を保護するブート８００を有してもよい。
【００１９】
図４Ａおよび図４Ｂは、端子トレー２００の具体例の斜視図を示している。端子トレー２００は、１つまたはそれ以上の電気接触子２５０を有してもよい。接触子２５０は、端子トレー２００の一部として成形されてもよいし、或は端子トレー２００に取付けられてもよい。接触子２５０は、信号接触子２５０ａであってもよいし、或は接地用接触子２５０ｂであってもよい。信号接触子２５０ａは、差信号対として機能してもよいし、非平衡終端化信号導体であってもよい。図４Ａおよび図４Ｂは、接続工程中、接地用接触子２５０ｂが信号接触子２５０ａの前にレセプタクル５１０と電気的に接続するように信号接触子２５０ａよりも長い接地用接触子２５０ｂを示している。しかしながら、接地用接触子２５０ｂが信号接触子２５０ａと等しい或はそれより短い長さのものであってもよいことは注意すべきである。端子トレー２００は、ラッチ２１０を有してもよい。これらラッチ２１０は、コネクタヘッダー４００の分極化ラッチ窓４１０に対応してもよい。
【００２０】
また、端子トレー２００は、ＰＣＢ３００を所望の位置で端子トレー２００に取付け易くするためにＰＣＢ３００の圧嵌め穴（図４Ａおよび図４Ｂに図示せず）に対応する圧嵌めピン２２０を有してもよい。端子トレー２００は、１つまたはそれ以上のケーブルディバイダー２３０を有してもよい。ケーブルディバイダー２３０は、端子トレー２００の一部として成形されてもよく、ケーブル９１０の整合を維持するのを助け得る。端子トレー２００はプラスチックまたは同様な材料で構成されてもよい。
【００２１】
図４Ａは、接触子２５０の第１の具体例を示しており、この場合、各接触子２５０の端部２２５が、「スクープ」または「Ｕ字」形状に曲げられてもよい。「スクープ」または「Ｕ字」形状により、ＰＣＢ３００が接触子２５０の下で摺動することができ、且つ接触子２５０が、これらによりＰＣＢ３００に及ぼされる下方の圧力からＰＣＢ３００に電気的に接続することができる。接触子２５０は、弾性であり、従って、ばね力をＰＣＢに及ぼし得る。接触子２５０がＰＣＢ３００に及ぼす圧力の量は、接触子２５０が支点として作用するバー２４０を超えて延びる距離を短くすることにより増大され得る。同様に、接触子２５０がＰＣＢ３００に及ぼす圧力の量は、接触子２５０がバー２４０を超えて延びる距離を長くすることにより減少され得る。更に、コネクタ１００についてメンテナンスを行うために接触子をＰＣＢ３００から切離すこともまた必要でない。図４Ａの実施の形態の使用によれば、ＰＣＢ３００および端子トレーは、ＰＣＢ３００を接触子２５０から引き離すことにより分離され得る。
【００２２】
図４Ｂは、接触子２５０の別の具体例を示しており、この場合、各接触子２５０は、端子トレー２００の上方に延びている接触子２５０の端部の近くにはんだスロット２３５を有している。はんだスロット２３５は、ＰＣＢ３００への接触子２５０のはんだ付けを容易にし得る。
【００２３】
図５は、ＰＣＢ３００の具体例を示している。ＰＣＢ３００は、例えば、コネクタ１００を通しての信号の伝播時間を均等にし得るイコライザーカードであってもよい。しかしながら、ＰＣＢ３００が、他の目的でも使用されてもよいことは注意すべきである。ＰＣＢ３００は、これを電気接触子２５０に電気的に接続するために端子接触パッド３５０を有してもよい。このような接続は、図４Ａおよび図４Ｂに関して前述されたように、はんだ付けによってもよいし、或は接触圧力によってもよい。更に、接触パッド３５０を接触子２５０に電気的に接続するための任意の他の適当な手段が使用されてもよい。また、ＰＣＢ３００は、圧嵌め穴３３０を有してもよく、この圧嵌め穴３３０を端子トレー２００の圧嵌めピン２２０と整合させることによって端子トレー２００へのＰＣＢ３００の物理的接続を容易にし得る。
【００２４】
また、ＰＣＢ３００は、１つまたはそれ以上の組付け制御スロット３６０を有してもよい。組付け制御スロット３６０は、端子トレー２００の対応する位置決めキー（図示せず）と整合するＰＣＢ３００のスロットであってもよい。組付け制御スロット３６０は、圧嵌め穴３３０と共に、ＰＣＢ３００を所望の位置で端子トレー２００に取付け易くし得る。
【００２５】
図６Ａおよび図６Ｂは、接触子２５０なしの端子トレー２００と、ケーブル２１０およびケーブルワイヤ２２０とを備えているＰＣＢ３００の分解破断図を示している。図６Ａでは、ＰＣＢ３００を適切な整合状態を伴う適切な位置で端子トレー２００に取付け易くするために、端子トレー２００の位置決めキー２６０が、ＰＣＢ３００の組付け制御スロット３５０と整合してもよい。更に、端子トレー２００のリブ２７０が、ＰＣＢ３００を接触子２５０の下で摺動させるときに積極的な停止を行うことによりＰＣＢ３００を端子トレー２００に位置決めし易くし得る。
【００２６】
図６Ｂは、ケーブル９１０を備えている端子トレー２００のケーブルディバイダー２３０の具体例を示している。また、ＰＣＢ３００は、ケーブルワイヤ９２０が連結された状態で示されている。ケーブルディバイダー２３０は、ケーブル９１０の適切な整合および隔置を維持するのを助け得る。図６Ｂに示されるように、ケーブル９１０の各々は、２つの信号ケーブルワイヤ９２０ａと、接地用ケーブルワイヤ９２０ｂとを備えている。しかしながら、ケーブル９１０が、非平衡終端化信号をも伝送し得ることは認められるべきである。また、図６Ｂは、ＰＣＢ３００の圧嵌め穴３３０を通る端子トレー２００の圧嵌めピン２２０の具体例を示している。
【００２７】
図７Ａないし図７Ｃは、端子トレー２００と、ケーブル９１０のケーブルワイヤ９２０への接触子２５０の電気的接続との具体例を示している。信号接触子２５０ａは、信号ケーブルワイヤ９２０ａに接続されてもよく、接地用接触子２５０ｂは、接地用ケーブルワイヤ９２０ｂに接続されてもよい。信号ケーブルワイヤ９２０ａは、差信号対を形成してもよいし、或は非平衡終端化信号導体であってもよい。
【００２８】
図７Ａおよび図７Ｂは、ぞれぞれ、図４Ａおよび図４Ｂに示されるように、ＰＣＢ３００の具体例を介するケーブルワイヤ９２０への接触子２５０の電気的接続を示している。図７Ａに示されるように、ＰＣＢ３００は、これに対する接触子２５０の物理的圧力により接触子２５０に電気的に接続され得る。図７Ｂに示されるように、接触子２５０は、はんだスロット９３５を介してＰＣＢ３００にはんだ付けされてもよい。図７Ｃに示されるように、接触子２５０は、ケーブルワイヤ９２０に直接、すなわち、ＰＣＢを使用することなしに電気的に接続されてもよい。このような実施の形態では、ケーブルワイヤ９２０は、接触子２５０にはんだ付けされてもよいし、或は他の方法で電気的に接続されてもよい。
【００２９】
図８は、本発明の態様による端子トレー２００およびＰＣＢ３００の具体例の部分図である。図示のように、接触子２５０各々の夫々の端部２５５が、「スクープ」形状または「Ｕ字」形状に曲げられてもよい。図４Ａと関連して説明されたように、接触子２５０は、弾性であってもよく、「スクープ」形状または「Ｕ字」形状により、ＰＣＢ３００が接触子２５０の下で摺動することができ、且つ接触子２５０が、これによりＰＣＢ３００に及ぼされる圧力からＰＣＢ３００に電気的に接続することができる。また前述のように、接触子２５０は、ＰＣＢ３００に圧力を及ぼす。何故なら、接触子２５０は、端子トレー２００の一部として成形されており、且つＰＣＢ３００が接触子２５０の下で摺動されるときに、接触トレーバー２４０が、バー２４０の近傍の接触子２５０が移動するのを防ぐからである。このように、接触子２５０をＰＣＢ３００にはんだ付けすることは必要でない。
【００３０】
また、図８は、端子トレー２００の位置決めキー２６０を示している。位置決めキー２６０は、ＰＣＢ３００を適切な整合を伴う適切な位置で端子トレー２００に取付け易くするためにＰＣＢ３００の組付け制御スロット３５０に整合する。
【００３１】
図９Ａおよび図９Ｂは、それぞれ、ヘッダーコネクタ４００の実施の形態と、端子トレー２００の具体例の端面の横断面図とを示している。図９Ａに示されるヘッダーコネクタ４００は、任意の数の端子トレー２００を収容してもよい。このヘッダーコネクタ４００は、例えば内部キャビティを規定する複数の壁部４０５、４０６、４０７を備えてもよい。これら壁部４０５、４０６、４０７は、１つの連続した部片として成形されてもよいし、例えば立体形状のハウジングを形成するように他の方法で連結されてもよい。
【００３２】
１つまたはそれ以上のレール４１５が、壁部４０５の一部として成形されてもよいし、或は他の方法で壁部４０５の内側に連結されてもよい。レール４１５は、端子トレー２００をコネクタヘッダー４００内に支持する。コネクタヘッダー４００は、レセプタクル５１０の整合用成形部５１６（図１参照）と整合する整合スロット４２０を有してもよい。また、コネクタヘッダー４００は、コネクタボディの接地用接触子（図示せず）をレセプタクル５１０の接地用バンド５１５に接触させることができるように窓４３０を有してもよい。
【００３３】
また、コネクタヘッダー４００は、壁部４０５の分極化ラッチ窓４１０を有してもよい。分極化ラッチ窓４１０は、端子トレー２００のラッチ２１０を受入れてもよい。更に、分極化ラッチ窓４１０は、端子トレー２００がコネクタハウジング４００に適切に挿入されるようにするように位置決めされてもよい。
【００３４】
図９Ａは、各端子トレー２００が隣接した端子トレー２００に対して１８０°回転されるように端子トレー２００を受入れるために位置決めされ得る分極化ラッチ窓４１０を示している。この態様を図９Ｂと関連して更に説明する。
【００３５】
図９Ｂは、互いに隣接して積重ねられた端子トレー２００の端面横断面図を示している。底端子トレー２００ａは、ケーブル９１０ａが端子トレー２００の遠い右側に位置決めされ、且つケーブル９１０ａの左側に空間２０２が位置決めされるように配向されてもよい。空間２０２は、端子トレー２００の反対端部に位置決めされた接地用接触子（図示せず）と整合してもよい。空間２０２の左側には、ケーブル９１０ｂがあってもよく、ケーブル９１０ｂの左側には、他の空間２０３がある。空間２０３は、他の接地用接触子と整合してもよい。ケーブルおよび空間のこのパターンは、ケーブル９１０ｃ、９１０ｄについて繰り返してもよい。１つの端子トレー２００あたり４つのケーブル９１０が図９Ｂに示されているが、任意の数のケーブルが使用されてもよいことは理解されるべきである。更に、ケーブル９１０は、差信号を伝送するために構成されて示されているが、ケーブル９１０のうちの幾つか或はすべてが、同様に非平衡終端化信号の伝送のために構成されてもよいことは理解されるべきである。
【００３６】
また、ケーブル９１０およびケーブル９１０間の空間のパターンが端子トレー２００ａのものと逆にされるように端子トレー２００ｂが、端子トレー２００ａに隣接して設置されてもよいことは理解されるべきである。例えば、端子トレー２００ｂは、遠い右側に空間２０６を有してもよく、ケーブル９１０ｅが空間２０６の左側に設置されてもよい。端子トレー２００ａのパターンのこの逆転は、端子トレー２００ｂが端子トレー２００ａに対して１８０°回転されるときに生じる。その場合、端子トレー２００ｃが、端子トレー２００ａと同様な配向を有してもよく、端子トレー２００ｄが、端子トレー２００ｂと同様な配向を有してもよい。隣接した端子トレー２００の配向の逆転は、コネクタヘッダー４００に位置決めされたすべての端子トレーについて継続してもよい。
【００３７】
次々の端子トレー２００の配向の逆転は、レセプタクル５１０の接地用接触子および信号接触子の配向により望ましいことがある。すなわち、信号接触子２５０ａおよび接地用接触子２５０ｂは、次々の端子トレーが前述のように回転されなければ、レセプタクル５１０の接地用接触子および信号接触子と整合しなくてもよい。コネクタ４００が他のレセプタクルの配向に同様に適合されてもよいことはわかるであろう。
【００３８】
端子トレー２００は、コネクタヘッダー４００の端子トレー２００の適切な整合を容易にするためにラッチ２１０を有してもよい。例えば、端子トレー２００は、その右側にほぼ中間に位置決めされるラッチ２１０ａを有してもよい。しかしながら、ラッチ２１０ｂは、端子トレー２００の左側の頂部に向けて位置決めされてもよい。コネクタヘッダー４００の分極化ラッチ窓４１０は、端子トレー２００が正しい向きでコネクタヘッダー４００に挿入されると、ラッチ２１０が分極化ラッチ窓４１０と整合されるように位置決めされてもよい。
【００３９】
図示のように、コネクタヘッダー４００の分極化ラッチ窓４１０は、図９Ｂと関連して述べられた整合で端子トレーを受入れるように示されている。しかしながら、コネクタヘッダー４００の分極化ラッチ窓４１０が、色々な向きで端子トレー２００を受入れるために異なる位置に設置されてもよいことは理解されるべきである。ラッチ２１０および分極化ラッチ窓４１０の位置の組合せは、コネクタの製造を助ける。端子トレー２００が正しく整合されない場合のみ、コネクタヘッダー４００に嵌合し得るので、不正確な組付けが回避され得る。
【００４０】
図１０Ａおよび図１０Ｂは、ケーブルの具体例の斜視図である。図１０Ａは、リボンケーブル９１４の具体例の斜視図を示している。図１０Ｂは、丸いケーブル９１６の斜視図を示している。コネクタ１００が全体にわたってリボンケーブル９１４を有するものとして示されている。その代わりに丸いケーブル９１６が使用されてもよいことは理解されるべきである。ケーブル９１４、９１６は、多数の信号ケーブルワイヤ９２０ａと、関連された接地用ケーブルワイヤ９２０ｂとを有してもよい。ケーブルワイヤ９２０は、銀メッキ銅または他の適当な導体であってもよい。信号ケーブルワイヤ９２０ａは、例えば、可撓性プラスチックのような誘電材料９２２により取囲まれてもよい。差動通信では、信号ケーブルワイヤ９２０ａは、共に接地用ケーブルワイヤ９２０ｂと対にされてもよいし、関連されてもよい。
【００４１】
各対の信号ケーブルワイヤ９２０ａおよび接地用ケーブルワイヤ９２０ｂはシールド９２４により取囲まれてもよい。シールド９２４は、信号ワイヤ対と関連された電場が隣接した信号ケーブルワイヤ対と関連された電場と混じり合うのを防ぐ助けとなり得る。このような混じり合いは、漏話と一般に称せられる電気的干渉を引き起こし、かくして信号保全性を悪化することがある。シールド９２４は、アルミニウムポリまたは他の適当な材料で構成されてもよい。ケーブル９１０のケーブルワイヤ９２０は、追加のシールド９２６、９２８により取囲まれてもよい。シールド９２６、９２８は、ケーブルバンドル９００のケーブル９１０間の漏話を防ぎ得る。フォイルシールド９２６が、アルミニウムまたは他の適当な材料の薄い層で構成されてもよい。ブレードシールド９２８が、鋼または他の適当な材料の厚い層で構成されてもよい。ブレードシールド９２８は、選択自由であるが、高速通信用により望ましいことがある。プラスチックのような絶縁体で構成されてもよいケーブルジャケット９３０が、シールド９２８を覆ってもよい。
【００４２】
図１１Ａは、ケーブルバンドル９００の歪除去装置９０１の具体例を示している。図１１Ｂは、本発明によるケーブルバンドル９００の具体例の正面横断面図を示している。コネクタ１００は、ケーブル９１０の内側に位置決めされたケーブルワイヤ９２０を有してもよい。ケーブル９１０は、部分的に歪除去バンド６５０によりケーブルバンドル９００に保持されてもよい。歪除去バンド６５０は、コネクタボディ８５０の外側に位置決めされたケーブルバンドル９００が移動されるとき、ケーブルバンドル９００内のケーブル９１０がコネクタボディ８５０内でケーブルバンドル９００に対して移動するのを防ぐようにケーブル９１０を保持し得る。
【００４３】
図１１Ｂは、ケーブルバンドル９００および歪除去バンド６５０の具体例の正面断面図を示している。明確のために、個々のケーブルワイヤ９２０が、図１１Ｂに示されていない。ケーブルバンドル９００に対する個々のケーブル９１０の移動を防ぐために、一般に両面テープと呼ばれている両側に接着剤付きのテープ９０５が使用されてもよい。１つの実施の形態では、テープ９０５が、ケーブル９１０ａの一方の側に取着され、矢印１の方向にケーブル９１０ａのまわりに巻かれてもよい。次いで、テープ９０５は、矢印２の方向にケーブル９１０ｂのまわりに巻かれてもよい。テープ９０５がバンドル９００の最後のケーブルのまわりに巻かれた後、テープ９０５は、バンドル９００のまわりに巻かれてもよい。各ケーブルが隣接したケーブルに取着されてもよいので、且つテープがバンドル９００のまわりに巻かれてもよいので、歪除去バンド６５０の近傍のバンドル９００の個々のケーブルワイヤの移動が最小され得る。
【００４４】
更に、クリンプスリーブ支持体７００が、歪除去バンド６５０上でケーブルバンドル９００のまわりに設置されると、個々のケーブル９１０の移動を防ぐ助けとなり得る。クリンプスリーブ７５０が、クリンプスリーブ支持体７００に設置されてもよく、そしてひだ付け具（図示せず）により変形され、圧縮されてもよい。クリンプスリーブ７５０を変形させる際に生じられるクリンプスリーブ支持体７００に対する圧力により、クリンプスリーブ支持体７００の割りハウジング７２０の圧縮を引き起こし得る。この圧縮により、クリンプスリーブ支持体７００が、同様にケーブルバンドル９００および歪除去バンド６５０を圧縮し、それにより個々のケーブル９１０の相対移動を防ぐ助けとなり得る。クリンプスリーブ支持体７００は、ブート８００の分極化ラッチ窓８０５に対応する組付けラッチ７０５を有してもよい。コネクタ１００が組み立てられると、ラッチ７０５および分極化ラッチ窓８０５は結合し、そしてブート８００がケーブル９００を滑り下るのを防ぎ得る。ブート８００は、コネクタボディ８５０のすぐ近くで擦り減ったり、或は他の損傷をしたりしないようにケーブルバンドル９００を保護し得る。
【００４５】
ブレード６００が、ケーブルブレードシールド９２８をクリンプスリーブ７５０に電気的に接続するために、ケーブルバンドル９００に取付けられてもよい。クリンプスリーブ７５０は、コネクタボディ８５０がコネクタ１００に取付けされるときにコネクタボディ８５０に電気的に接続する接地用接触子７５５を有してもよい。ケーブルバンドル９２０の端部の外側でそれに向いたジャケット９３０が、ブレードシールド９２８を露出させるように切り取られてもよい（図１０Ａおよび図１０Ｂ参照）。ブレード６００が、ケーブルバンドル９００を取囲んでいて、ケーブル９１０のブレードシールド９２８と接触していてもよい。ブレード６００は、熱収縮管６７５により適所に保持されてもよい。熱収縮管６７５は、適所にあって加熱されると、熱収縮管６７５が収縮し、ブレード６００をケーブル９１０のブレードシールド９２８と接触状態に保持するように、熱可塑性プラスチックで製造されてもよい。ブレード６００は、その切欠き６０２がリブ７１１上に位置し、且つブそのプレート６０３がクリンプスリーブ支持体７００のリブ７１１、７１２間に位置するように、クリンプスリーブ支持体７００の頂部に設置されてもよい。クリンプスリーブ７５０は、リブ７１１、７１２間でブレード６００のプレート６０３に隣接してクリンプスリーブ支持体７００に取付けられてもよい。ブレード６００は、鋼または任意の他の適当な金属で構成されてもよい。
【００４６】
図１２は、クリンプスリーブ支持体７００の具体例の斜視図である。クリンプスリーブ支持体７００は、ケーブルバンドル９００をコネクタボディ８５０内に保持するのを助ける。クリンプスリーブ支持体７００は、コネクタボディ８５０に対するクリンプスリーブ７５０の移動を防ぐのを助けるために被把持表面または粗い表面７１０およびリブ７１１、７１２を有してもよい。クリンプスリーブ支持体７００は、クリンプスリーブ７５０が変形されるときに歪除去バンド６５０を圧縮し得る内部クリンプリング７２５を有してもよい。更に、クリンプスリーブ支持体７００は、クリンプスリーブ７５０が変形されるときにクリンプスリーブ支持体７００を圧縮し、それにより歪除去バンド６５０およびケーブルバンドル９００を圧縮し得る割りハウジング７２０を有してもよい。この圧縮は、コネクタボディ８５０の外側に位置決めされたケーブルバンドル９００が移動されるときに、ケーブルバンドル９００に対するコネクタボディ８５０内に位置決めされた個々のケーブル９１０の移動を防ぐのを助け得る。クリンプスリーブ支持体７００は、ポリマー物質または他の適当な材料で構成されてもよい。
【００４７】
図１３は、クリンプリング７５０の具体例の斜視図である。クリンプリング７５０は、ケーブルバンドル９００に対するケーブル９１０の移動を最小にするのを助け得、且つシールド６００の設置を維持し得る。また、クリンプリング７５０は、シールド６００を、従って、ケーブル９１０のシールドブレード９２８をコネクタボディ８５０に電気的に接続し得る。クリンプリング７５０は、クリンプ支持体上に設置されもよく、それによりクリンプスリーブ支持体７００およびケーブルバンドル９００を圧縮してコネクタボディ８５０内の個々のケーブル９１０の移動を防ぐ。クリンプリング７５０は、コネクタボディ８５０に電気的に接続し得る接地用接触子７５５を有してもよい。クリンプリング７５０は、シート金属または他の適当な材料で構成されてもよい。
【００４８】
図１４は、ブート８００の具体例の斜視図である。ブート８００は、コネクタボディ８５０のすぐ近くで擦り減ったり、或は他の損傷をしたりしないようにケーブルバンドル９００を保護し得る。ブート８００は、クリンプスリーブ支持体７００のラッチ７０５を受入れ、それによりブート８００をコネクタ１００に取付け得るラッチ窓８０５を有してもよい。ブート８００は、ゴムまたは他の適当な材料で構成されてもよい。
【００４９】
図１５は、本発明によるコネクタボディ半体８５０ａの具体例の斜視図である。コネクタボディ８５０は、歪除去装置９０１を収容し得、またコンピュータまたは他の装置へのコネクタ１００の取付けを可能にし得る。また、コネクタボディは、クリンプスリーブ７５０およびブレード６００による介在接続を介してブレードシールド９２８をコンピュータまたは他の装置の電気接地部と接続するのを容易にし得る。コネクタボディ８５０は、２つの同じコネクタボディ半体８５０ａが連結されてコネクタ１００を取囲む完全なボディ８５０を形成するように構成されてもよい。コネクタボディ８５０は、コネクタヘッダー４００および歪除去装置９０１に押し当たってコネクタ１００に対するコネクタヘッダー４００および歪除去装置９０１の移動を防ぐのを助けるために配向用制御成形部、即ちリブ８７０を有してもよい。コネクタボディ８５０は、コネクタ１００がコンピュータまたは他の装置に接続されるときに、レセプタクル５１０（図１参照）の接地用バンド５１５を接続するために接地用接触子８６０を有してもよい。コネクタボディ８５０は、整合ねじをねじポスト８２５（図１参照）と整合させながら、コネクタ１００をコンピュータまたは他の装置に取付け得る整合ねじを受け入れるためのマウントねじホルダ８５５を有してもよい。
【００５０】
各コネクタボディ半体８５０ａは、これを他方のコネクタボディ半体に取付けることができる組付け係止ブレード８７５および組付け係止スロット８７６を有してもよい。組付け係止ブレード８７５は、「Ｌ字」形状であってもよく、２つのコネクタボディ半体を共に設置し、そして組付け係止ブレード８７５を摺動させて組付け係止スロット８７６の中に係止した後、対応する組付け係止ブレード８７５と相互係止し得る。コネクタボディ半体８５０ａは、ねじ（図示せず）を受入れて一方のコネクタボディ半体を第２のコネクタボディ半体に連結するために組付けねじ成形部８６５を有してもよい。また、コネクタボディ半体８５０ａは、クリンプスリーブ支持体７００をコネクタボディ８５０に対して移動しないように拘束するためにハウジング８８０を有してもよい。コネクタボディ半体８５０ａは、鋳造金属または同様な材料で構成されてもよい。
【００５１】
本発明の多くの特徴および利点を前述の説明に述べたが、この開示は、単に例示的であり、添付の請求項が表される語の広い一般的な意味により示される全範囲まで本発明の原理内で変形例が詳細に行われることができることは理解されるべきである。例えば、本発明によるコネクタが、コンピュータまたは装置を外部部品に接続することに関してここに述べられたが、コネクタはコンピュータの内部の部品を接続するのに使用されてもよい。更に、ＰＣＢが、コネクタ内の導体間の信号伝播時間を均等にするためのイコライザーカードであるものとしてここに説明されたが、ＰＣＢが、コネクタまたは接続部の特性を改良するための任意の種類の装置であってもよいことは理解されるべきである。また、接触子、単に例として「スクープ」または「Ｕ字」形状に曲げられているものとして説明された。接触子は、同様に他の方法で曲げられてもよい。
【図面の簡単な説明】
【００５２】
【図１】本発明によるコネクタの例示的な実施の形態を示す図である。
【図２Ａ】フェースプレートの横断面正面図である。
【図２Ｂ】フェースプレートの横断面側面図である。
【図３】本発明によるコネクタの例示的な実施の形態を示す図である。
【図４Ａ】端子トレーの具体例の斜視図である。
【図４Ｂ】端子トレーの具体例の斜視図である。
【図５】印刷回路ボードの具体例を示す図である。
【図６Ａ】端子トレーを備えた印刷回路ボードの具体例の分解破断図である。
【図６Ｂ】ケーブルを備えた印刷回路ボードの具体例の分解破断図である。
【図７Ａ】ケーブルに接続された端子トレーの具体例を示す図である。
【図７Ｂ】ケーブルに接続された端子トレーの具体例を示す図である。
【図７Ｃ】ケーブルに接続された端子トレーの具体例を示す図である。
【図８】本発明の態様による端子トレーおよび印刷回路ボードの具体例の部分図である。
【図９Ａ】本発明の態様によるヘッダーコネクタの例示的な実施の形態を示す図である。
【図９Ｂ】本発明の態様によるヘッダーコネクタの例示的な実施の形態を示す図である。
【図１０Ａ】ケーブルの具体例を示す図である。
【図１０Ｂ】ケーブルの具体例を示す図である。
【図１１Ａ】本発明の態様によるケーブルバンドルおよび歪除去装置の具体例を示す図である。
【図１１Ｂ】本発明の態様によるケーブルバンドルおよび歪除去装置の具体例を示す図である。
【図１２】クリンプスリーブ支持体の具体例を示す図である。
【図１３】クリンプリングの具体例を示す図である。
【図１４】ブートの具体例を示す図である。
【図１５】本発明の態様によるコネクタボディの具体例を示す図である。
【図１】
2008510273.tif 000003
【図２Ａ】
2008510273.tif 000004
【図２Ｂ】
2008510273.tif 000005
【図３】
2008510273.tif 000006
【図４Ａ】
2008510273.tif 000007
【図４Ｂ】
2008510273.tif 000008
【図５】
2008510273.tif 000009
【図６Ａ】
2008510273.tif 000010
【図６Ｂ】
2008510273.tif 000011
【図７Ａ】
2008510273.tif 000012
【図７Ｂ】
2008510273.tif 000013
【図７Ｃ】
2008510273.tif 000014
【図８】
2008510273.tif 000015
【図９Ａ】
2008510273.tif 000016
【図９Ｂ】
2008510273.tif 000017
【図１０Ａ】
2008510273.tif 000018
【図１０Ｂ】
2008510273.tif 000019
【図１１Ａ】
2008510273.tif 000020
【図１１Ｂ】
2008510273.tif 000021
【図１２】
2008510273.tif 000022
【図１３】
2008510273.tif 000023
【図１４】
2008510273.tif 000024
【図１５】
2008510273.tif 000025
【国際調査報告】
2008510273.tif 000026